(57)【特許請求の範囲】
【請求項１】
周側板部と該周側板部の下底面を閉止する底板部とからなる容器本体と、周側板部と該周側板部の上面を閉止する天板部とを有して前記容器本体の開口面を覆って施蓋される蓋体とで構成され、
前記容器本体は、前記底板部の中央部位にて上方に向かって凹設された略円形を呈する凹陥部と、該凹陥部の開口縁側にて対向する一対の円弧部から各別に中心方向へと延設されてそれぞれの前端縁相互が平行する庇部と、前記底板部の外面に突設された複数個の突起とを備え、
前記蓋体は、前記天板部の上面中央部に容器本体の前記凹陥部との嵌合が自在な隆起部と、該隆起部にあって前記容器本体の凹陥部に設けられた一対の前記庇部の各前端縁との対面部位に設けた切除部とを備え、
前記隆起部には、蓋体の回転方向での後端側に位置するそれぞれの切除部からこれに続く隆起部にかけて上面側に庇状の係止片部を残置させたガイド溝部を形成するとともに、前記隆起部の周端面には、前記蓋体を回転させて前記庇部と前記係止片部とを係合させた際に、庇部の前記前端縁のそれぞれの端面側に設けた凹部と嵌合してその係合状態を維持させるための隆条部を設けたことを特徴とする容器。
【請求項２】
容器本体が備える前記凹陥部は、底板部の中央部位から周側板部の一側周縁方向へと向かい、かつ、上方へと凹陥させた溝状部と連通させた凹陥溝部として形成された請求項１に記載の容器。
【請求項３】
請求項１または２に記載の構造を備える２以上の容器で構成され、上下に位置する前記容器相互は、下位に位置する容器の蓋体が備える前記隆起部に対し上位に位置する容器の容器本体が備える前記凹陥部を嵌合させ、かつ、庇部に係止片部を着脱自在に係合させて一体化したことを特徴とする重ね容器。
【発明の詳細な説明】
【０００１】
【発明の属する技術分野】
本発明は、食品や文具などの物品を保管や収納するための容器と、この容器を複数個重ね合わせた重ね容器とに関する技術である。
【０００２】
【従来の技術】
食品や文具などの物品を保管や収納するために用いられる容器は、従来より種々の構造のものが提供されてきており、そのなかには、単体で用いられるもののほか、複数個を重ね合わせて用いることができるようにしたセット物などもある。
【０００３】
【発明が解決しようとする課題】
しかし、従来からある重ね容器については、上下に位置する容器相互の連結状態が必ずしも確実であるとは言い難く、また、確実に連結できるものは連結構造が複雑化して操作性が悪かったり、製品コストが高くなるなどの不都合があった。
【０００４】
本発明は、上記従来技術にみられた課題に鑑み、操作性に優れているほか、製品コストの低減をも実現できる容器および重ね容器を提供することを目的とする。
【０００５】
【課題を解決するための手段】
本発明は上記目的を達成すべくなされたものであり、そのうちの第１の発明（容器）は、周側板部と該周側板部の下底面を閉止する底板部とからなる容器本体と、周側板部と該周側板部の上面を閉止する天板部とを有して前記容器本体の開口面を覆って施蓋される蓋体とで構成され、前記容器本体は、前記底板部の中央部位にて上方に向かって凹設された略円形を呈する凹陥部と、該凹陥部の開口縁側にて対向する一対の円弧部から各別に中心方向へと延設されてそれぞれの前端縁相互が平行する庇部と、前記底板部の外面に突設された複数個の突起とを備え、前記蓋体は、前記天板部の上面中央部に容器本体の前記凹陥部との嵌合が自在な隆起部と、該隆起部にあって前記容器本体の凹陥部に設けられた一対の前記庇部の各前端縁との対面部位に設けた切除部とを備え、前記隆起部には、蓋体の回転方向での後端側に位置するそれぞれの切除部からこれに続く隆起部にかけて上面側に庇状の係止片部を残置させたガイド溝部を形成するとともに、前記隆起部の周端面には、前記蓋体を回転させて前記庇部と前記係止片部とを係合させた際に、庇部の前記前端縁のそれぞれの端面側に設けた凹部と嵌合してその係合状態を維持させるための隆条部を設けたことに構成上の特徴がある。
【０００６】
この場合、容器本体が備える前記凹陥部は、底板部の中央部位から周側板部の一側周縁方向へと向かい、かつ、上方へと凹陥させた溝状部と連通させた凹陥溝部として形成することもできる。
【０００７】
また、第２の発明（重ね容器）は、第１の発明に係るいずれかの２以上の容器で構成され、上下に位置する前記容器相互は、下位に位置する容器の蓋体が備える前記隆起部に対し上位に位置する容器の容器本体が備える前記凹陥部を嵌合させ、かつ、庇部に係止片部を着脱自在に係合させて一体化したことに構成上の特徴がある。
【０００８】
【０００９】
【００１０】
【００１１】
【００１２】
【００１３】
【発明の実施の形態】
図１と図２とは、第１の発明の一例を示すものであり、そのうちの図１は斜め上方から目視した場合の分解斜視図を、図２は斜め下方側から目視した場合の分解斜視図をそれぞれ示す。
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
【００３５】
【００３６】
【００３７】
【００３９】
【００４０】
【００４１】
【００４２】
【００４３】
【００４４】
【００４５】
【００４６】
これらの図によれば、透明または不透明な合成樹脂からなる容器２１１の全体は、略円筒状の周側板部２１３と該周側板部２１３の下底面を閉止する底板部２１４とからなる容器本体２１２と、略円筒状の周側板部２３３と該周側板部２３３の上面を閉止する天板部２３５とからなり、容器本体２１２の開口面２１２ａを覆って周側板部２１３の側との螺合が自在に施蓋される蓋体２３２とで構成されている。なお、この場合、螺合部にパッキンを介在させておくのが好ましい。
【００４７】
このうち、容器本体２１２は、底板部２１４の中央部位にて上方に向かって凹設された略円形を呈する凹陥部２１５を備えて形成されている。また、該凹陥部２１５の開口縁２１６側には、対向する位置関係にある一対の短寸な円弧部２１６，２１６から中心方向へと若干延設され、かつ、前端縁２１７ａ，２１７ａ相互が平行する位置関係となった庇部２１７がそれぞれ形成されている。さらに、前端縁２１７ａの端面側には、凹部２１８が形成されている。
【００４８】
また、容器本体２１２における周側板部２１３の上縁側に位置する外周面には、雄ねじ部２１９が設けられており、該雄ねじ部２１９の終端側には、施蓋時に蓋体２３２側と当接するフランジ部２２０が周設されている。
【００４９】
これに対し蓋体２３２は、容器本体２１２の雄ねじ部２１９との螺合が自在となった雌ねじ部２３４が周側板部２３３の内周面に設けられている。
【００５０】
また、天板部２３５の上面中央部には、容器本体２１２の凹陥部２１５との嵌合が自在な略円形台状となった隆起部２３６が設けられており、該隆起部２３６は、容器本体２１２がその凹陥部２１５に備える一対の庇部２１７，２１７の前端縁２１７ａ，２１７ａとのそれぞれの対面部位に切除部２３７を形成することにより、これらの庇部２１７，２１７に邪魔されることなく凹陥部２１５内へと導入できるようになっている。
【００５１】
しかも、容器本体２１２における一対の庇部２１７，２１７は、凹陥部２１５内に隆起部２３６を導入して蓋体２３２の側を回転させようとしても隆起部２３６と当接して回転させることができない。このため、隆起部２３６には、蓋体２２２における回転方向での後端側に位置するそれぞれの切除部２３７からこれに続く隆起部２３６にかけ、回転時の当接を回避させるためのガイド溝部２３９が上面側に庇状の係止片部２３８を残置させた上でその回転方向に形成されている。
【００５２】
このため、容器本体２１２の凹陥部２１５に対し蓋体２３２の隆起部２３６を図３（ａ）に示すように対面合致させ、しかる後、図３（ｂ）に示すように矢印方向に容器本体２１２を回転させることにより、庇部２１７と係止片部２３８とを相互に係合させることことができることになる。しかも、蓋体２３２の隆起部２３６の周端面には、該蓋体２３２を回転させて庇部２１７と係止片部２３８とを図３（ａ）の状態から図３（ｂ）の状態となるようにして係合させた際に、庇部２１７の凹部２１８と嵌合してその係合状態を維持させることができる隆条部２４０が形成されている。
【００５３】
また、容器本体２１２の底板部２１４の外面には、複数個の突起２１４ａ（図示例では計４個の突起２１４ａ）が設けられており、嵌合させる際における容器本体２１２と蓋体２２２との間の回転をより円滑に行うことができるようになっている。
【００５４】
一方、図６は、図１に示す第１の発明の変形例につき、容器本体の側を斜め下方向から目視した際の斜視図を示すものであり、透明または不透明な合成樹脂からなる容器本体２２２は、略円筒状の周側板部２２３と該周側板部２２３の下底面を閉止する底板部２２４とで形成されている。この場合、蓋体２３２側は図１に示す第１の発明の例と同一の構造を備えているのでその説明は省略する。
【００５５】
しかも、容器本体２２２は、その外側に計４個の突起２２４ａを有する底板部２２４が備える凹陥部２２５を底板部２２４の中央部位から周側板部２２３の一側周縁２２３ａ方向へと向かい、かつ、上方へと凹陥させた溝状部２４２と連通させた凹陥溝部２４１とすることにより形成されている。この場合、凹陥溝部２４１は、蓋体２３２が備える隆起部２３６をその各切除部２３７を介して溝状部２４２に沿わせてスライドさせながら導入し、かつ、隆起部２３６を導入した後に例えば蓋体２３２側を回転させることにより図１に示す例と同様な係合関係が得られる構造を備えて形成されている。
【００５６】
すなわち、凹陥部２２５としての凹陥溝部２４１は、その終端２２５ａ側にまで蓋体２２２の隆起部２３６が備える切除部２３７を溝状部２４２に沿わせて送り込んだ際に、隆起部２３６が回転し得る内周形状が付与されて形成されている。
【００５７】
しかも、その際の凹陥溝部２４１における隆起部２３６の切除部２３７との対面位置には、その内奥側に向けて凹陥させた弧状溝部２２６が庇部２２７を残置させて形成されている。
【００５８】
このため、上下に位置させた容器２１１，２１１相互は、下位に位置する容器２１１の蓋体２３２が備える隆起部２４０に対し上位に位置する容器２１１の容器本体２１２，２２２が備える凹陥部２１５，２２５を嵌合させ、かつ、庇部２１７，２２７に係止片部２３８を着脱自在に係合させて一体化することにより第５の発明としての重ね容器を構成することができる。
【００５９】
これを図７に基づいてさらに詳しく説明すれば、上位に位置する容器２１１の容器本体２２２が備える凹陥部２２５（凹陥溝部２４１）の溝状部２４２に対し、下位に位置する容器２１１の蓋体２３２が備える隆起部２３６の切除部２３７を沿わせて（ａ）に示すように中央方向にスライドさせて（ｂ）に示すように送り込む。
【００６０】
次いで、蓋体２３２を時計方向に回転させることにより、下位に位置する容器２１１の蓋体２３２と上位に位置する容器２１１の容器本体２２２とが庇部２２７と係止片部２３８とが係合して一体化され、第２の発明に係る重ね容器として組み合わされることになる。
【００６１】
なお、容器本体２１２，２２２と蓋体２３２との間の係合状態の安定した維持は、凹部２１８，２２８と隆条部２４０との嵌合により実現することができるが、これ以外にも例えば係合時に容器本体２１１，２２２におけるいずれかの突起２１４ａ，２２４ａが位置することになる蓋体２３２側の対面部位に図示しない凹部を形成して嵌合できるようにすることによっても実現することができる。
【００６２】
本発明は、このようにして構成されているので、単に上下に位置する容器２１１，２１１相互を係合させるという単純な構造のもとで簡単に一体化できるほか、相互の離脱も簡単に行うことができることから、各種の用途に供することができるほか、使い勝手のよい積み重ね容器を低コストのもとで提供することができる。
【００６３】
以上は本発明を図面に即して説明したものであり、その具体的実施の形態例はこれに限られるものではない。例えば、第１の発明に係る容器２１１は、弁当箱のような方形を呈するものであってもよい。また、積み重ねられる個々の容器２１１は、その容積を異にする大小のものを混在させて用いることもできる。また、容器本体２１２，２２２と蓋体２３２とは、図示例のような螺合構造のほか、適宜の嵌着構造のもとで施蓋可能とすることもできる。
【００６４】
【発明の効果】
以上述べたように本発明のうち、第１の発明によれば、２以上の容器を簡単に重ね合わせることができる容器をその構造を単純化して提供することができる。
【００６５】
また、容器本体の底板部の外面には、複数個の突起が突設されているので、容器相互を積み重ねるために容器本体の底板部側に蓋体を回転させながら係合させる際に、より円滑に回転させることができる。
【００６６】
【００６７】
【００６８】
さらに、第２の発明によれば、複数個の同一または異なる容器であっても、相互の嵌合構造を同一にして形成することにより、簡単な操作で一体的に積み重ねることができるので、物品の仕分け保管を容易に行うことができる。この場合、容器相互の組合せ時に下位に位置する容器の蓋体の隆条部と上位に位置する容器の容器本体の凹部とを相互に嵌合させて積み重ねることにより、より安定した状態のもとで積み重ねておくことができる。
【図面の簡単な説明】
【図１】  第１の発明の一例を分解して上方から目視した状態で示す斜視図。
【図２】  第１の発明の一例を分解して下方から目視した状態で示す斜視図。
【図３】  第１の発明の一例につき容器本体と蓋体との相互の配置関係を示す説明図。
【図４】  第１の発明に係る容器の重ね合わせ状態の一例を示す斜視図。
【図５】  第１の発明の係る容器相互の嵌合状態を示す縦断面図。
【図６】  第１の発明の他例の容器本体につき下方から目視した状態で示す斜視部。
【図７】  図６に示す例につき第２の発明に係る重ね容器を構成する際の容器本体と蓋体との相互の配置関係を示す説明図。
【符号の説明】
２１１  容器
２１２，２２２  容器本体
２１２ａ，２２２ａ  開口面
２１３，２２３  周側板
２１４，２２４  底板部
２１４ａ，２２４ａ  突起
２１５  凹陥部
２１５ａ  開口縁
２１６  円弧部
２１７，２２７  庇部
２１７ａ，２２７ａ  前端縁
２１８，２２８  凹部
２１９，２２９  雄ねじ部
２２０，２３０  フランジ部
２２５  凹陥溝部
２２６  弧状溝部
２４１  凹陥溝部
２４２  溝状部
２３２  蓋体
２３３  周側板
２３４  雌ねじ部
２３５  天板部
２３６  隆起部
２３７  切除部
２３８  係止片部
２３９  ガイド溝部
２４０  隆条部
【図１】
0004107368.tif 000002
【図２】
0004107368.tif 000003
【図３】
0004107368.tif 000004
【図４】
0004107368.tif 000005
【図５】
0004107368.tif 000006
【図６】
0004107368.tif 000007
【図７】
0004107368.tif 000008